(57)【特許請求の範囲】
【請求項１】
電解槽に供給する重曹又は食塩（或いは塩化カリウム）電解補助液の電気伝導度の相違を開始スイッチを押すことにより、電解補助液の自動判別を行い、電解補助液に応じた電解電源の電圧、電流、電解時間を自動設定して、複数種詳しくは電解無洗剤洗浄液及び強酸化水と強アルカリ性水の電解水が生成できる事を特徴とする電解無洗剤洗浄液生成器。
【請求項２】
吐出口を２個以上具備して、電解水の種類により、電解無洗剤洗浄液の場合は混合吐出を行い、或いは、強酸化水と強アルカリ性水の場合は分離吐出を行う事を特徴とする請求項１の電解無洗剤洗浄液生成器。
【発明の詳細な説明】
【０００１】
【発明の属する技術分野】
本発明は、電解水生成器に係わるものであり、詳しくは、電解槽に供給した重曹又は食塩（或いは塩化カリウム）電解補助液を自動判別することで、使用者が意図した以外の電解補助液を電解槽に供給しても電解補助液を自動判別し、供給された電解補助液に適した電気量を与え適正な電解無洗剤洗浄液、強酸化水、強アルカリ性水等の複数種を生成する機能を同一機体に収納した電解無洗剤洗浄液生成器に関するもの。
【０００２】
【従来の技術】
従来の電解水生成器においては、重曹溶液を電解して電解無洗剤洗浄液を生成する電解無洗剤洗浄液生成器「特許番号第３１８１９２７号や特許番号第３３１７５０５号等」、或いは、食塩や塩化カリウム溶液を電解して強酸化水生成器は有った。
【０００３】
また、電解無洗剤洗浄液は生成後に陽極水、陰極水を混合する必要があり、さらに、強酸化水は生成後に陽極水、陰極水を分離しておく必要があり、併用するには構造的な欠点があった。
【０００４】
【発明が解決しようとする課題】
従来の電解水生成器にあっては、濃度差の少ない電解補助液を複数併用している電解水生成器「特開平１０−０６６９７５号」はあったが、電解無洗剤洗浄液生成器では電解補助液の重曹溶液は濃度が約１ｍｏｌに対して、強酸化水生成器では電解補助液の食塩や塩化カリウム溶液は濃度が１／１００ｍｏｌと薄く、濃度差の大きな電解補助液を複数併用して自動判別している電解水生成器は無かった。
【０００５】
また、電解補助液の種類により、電解水の吐出が混合吐出を行う、或いは、分離吐出を行う必要があり、両方可能な吐出という問題点が有った。
【０００６】
本発明は、電解開始すると電解補助液の種類を自動判別をして、電解補助液により最適な電解水生成を維持することを目的としており、さらに、吐出口を２個以上具備し、電解水により混合吐出を行う、或いは、分離吐出を行うことのできる電解無洗剤洗浄液及び強酸化水と強アルカリ性水を生成する一体化の電解無洗剤洗浄液生成器を提供すること目的としている。
【０００７】
【課題を解決するための手段】
上記の課題を解決する為に、本発明の電解無洗剤洗浄液生成器においては、電解槽に供給する重曹又は食塩（或いは塩化カリウム）電解補助液の濃度による電気伝導度の相違を開始スイッチを押すことで、必要な電気量が重曹電解補助液の場合は約４１０００Ｃ／１Ｌ、食塩又は塩化カリウム電解補助液の場合は約７００Ｃ／１Ｌになる電解槽、及び図５に示す高電圧の小電流特性と低電圧の大電流特性の２値に設定できる電源を具備し、電解開始時に判別する判別器を具備し、その判定に基づき電解を行う電解電源の電圧と電流を最適に自動設定すると共に、電解時間も自動設定するものであり、使用者が意図と反した電解補助液を電解槽に供給しても電解補助液を自動判別し、供給された電解補助液に適した電気量を与え適正な電解水を生成するものある。
【０００８】
上記、電解電源の電圧と電流設定は同一電源を自動設定しても、特性の異なる複数の電源を切り替えて設定しても良い。
【０００９】
また、電気伝導度の相違を判断する判別器としては電解槽電流で検知しても良いが、電気伝導度計等の電極で直接水質を判別することが望ましい。
【００１０】
更に、電解補助液の種類を自動判別することで、自動設定された動作状態を知らせるために電解水が電解無洗剤洗浄液か、強酸化水か、強アルカリ性水か、操作パネルに表示すると共に、混合吐出を行い、或いは、分離吐出を行う為に吐出口を２個以上具備するものである、或いは前記の複数の吐出口を混合器に導き入れ、前記の各電解水は時間差を付けて吐水しても良い。
【００１１】
尚、本装置で生成した電解水の用途としは重曹の電解補助液の場合は特許番号第３１８１９２７及び特許番号第３３１７５０５等で説明されている通り、生成後に陽極水と陰極水を混合し、電解無洗剤洗浄液となります。
食塩の電解補助液の場合は強酸化水を使用し除菌剤となり、強アルカリ水は特別な用途はなく強酸化水使用後の中和剤となます。また、塩化カリウムの電解補助液の場合は強酸化水と強アルカリ水を交互散布して植物の活性剤となります。
【００１２】
【発明の実施の形態】
発明の実施の形態を実施例に基づき図面を参照して説明する。図１において、電源供給は商用電源入力１、電解槽４及び制御器３に供給するＤＣ電源２、装置を制御する制御器３、電解を行う電解槽４、電解電流を検知する電流検知器５、電解槽電圧極性反転器７，８、及び、操作表示をする操作パネル１８「図１では開始スイッチ６、表示ランプ９〜１２で示す。」で構成している。重曹又は食塩（或いは塩化カリウム）の電解補助液を電解槽４に供給し、開始スイッチ６を押すことで、該電解槽電圧極性反転器７或いは８により開閉する接点７’或いは８’で電解槽電極電圧極性を決定し、該ＤＣ電源２から該電解槽４へ電解槽供給線１４により最初は低電圧の８Ａ電流モードで供給される。該電解槽供給線１４に取り付けられた該電流検知器５の電流を検知し、８Ａ流れるか否かを確認し電解補助液を判断して、ＤＣ電源制御線１３にて、該ＤＣ電源２を設定電圧、設定電流、及び、設定時間を設定し、電解を行う。
【００１３】
先ず、重曹電解液を電解する時を説明する。本例では該開始スイッチ６を押すことにより、重曹電解補助液を供給した電解槽４に低電圧８Ａ定電流を供給し、８Ａの電流を確認し重曹電解補助液の電気伝導度（約２Ｓ／ｍ）と判断し、該ＤＣ電源２を８Ａ定電流、電解時間２時間に設定し、電解水生成を開始すると共に、電解無洗剤洗浄液生成中ランプ９が点滅する。生成が完了すると該電解洗浄液生成中ランプ９が消灯し、電解洗浄液完了ランプ１０が点灯する。
【００１４】
次に、食塩、及び塩化カリウム電解補助液を電解する時を説明する。本例では該開始スイッチ６を押すことにより、食塩、及び塩化カリウム電解補助液を供給した電解槽４に低電圧８Ａ定電流を供給し、電流が少ない時に食塩、及び塩化カリウム電解補助液の電気伝導度（約２００ｍＳ／ｍ）と判断し、該ＤＣ電源２を電圧−電流設定１２Ｖ−０．８５Ａ、電解時間２０分に設定し、電解水生成を開始すると共に、強酸化水表示ランプ１１と強アルカリ性水表示ランプ１２が点滅する。生成が完了すると該強酸化水表示ランプ１１と該強アルカリ性水表示ランプ１２が点灯する。
【００１５】
又、図に示していないが、該電解槽４は隔膜型で隔膜を中央に配して左右対称の２層となっており、該電解槽電源極性反転器７，８により、電極電圧を生成毎に反転する事が出来る。尚、強酸化水生成の場合には電解水が強酸化水或いは強アルカリ水を判別できる様に反転時、強酸化水反転表示ランプ１１’と強アルカリ性水反転表示ランプ１２’が点滅する。生成が完了すると該強酸化水反転表示ランプ１１’と該強アルカリ性水反転表示ランプ１２’が点灯する。
【００１６】
図２、図３，図４では、上部に電解槽４、電解槽蓋１９、正面に操作パネル１８、吐出口Ａ１５、吐出口Ｂ１６、側面に吐出ノブ１７が配置してある。尚、移動用に回転ハンドル２０が具備してあり移動し易くしてある。
生成後の電解水は該吐出ノブ１７を回すことで、該吐出口Ａ１５、該吐出口Ｂ１６から吐出する。吐水口Ａ，吐水口Ｂを２個具備したことで、電解無洗剤洗浄液の場合は混合吐出を行い、強酸化水の場合は分離吐出を行う事を可能にしている。
【００１７】
【発明の効果】
本発明は、以上説明したように構成されているので、以下に記載されるような効果を奏する。
【００１８】
電解槽に供給する重曹又は食塩（或いは塩化カリウム）電解補助液の種類を自動判別するために、使用者が意図と反した電解補助液を電解槽に供給しても電解補助液を自動判別し、供給された電解補助液に適した電気量を与え適正な電解水を生成するので、使用者が電解無洗剤洗浄液と強電解水と強アルカリ性水等の生成に誤りがなく複数種詳しくは電解無洗剤洗浄液及び強酸化水と強アルカリ性水の電解水を生成することができるようになった。
【００１９】
また、生成液の使用上、設置場所が台所や浴室と狭い所になるが、一体化により省スペース化することができるようになった。
【図面の簡単な説明】
【図１】電解無洗剤洗浄液生成器のブロックダイア図である。
【図２】電解無洗剤洗浄液生成器上面図である。
【図３】電解無洗剤洗浄液生成器正面図である。
【図４】電解無洗剤洗浄液生成器側面図である。
【図５】  電解槽の電源特性図である。
【符号の説明】
１  商用電源入力                    ２  ＤＣ電源
３  制御器                          ４  電解槽
５  電流検知器                      ６  開始スイッチ
７  電解槽電圧極性反転器＋          ８  電解槽電圧極性反転器−
７’電解槽電圧極性反転器＋接点      ８’電解槽電圧極性反転器−接点
９  電解無洗浄洗浄液生成中ランプ    １０  電解無洗浄洗浄液完了ランプ
１１  強酸化水表示ランプ            １２  強アルカリ性水表示ランプ
１１’強酸化水反転表示ランプ        １２’強アルカリ水性水反転表示ランプ
１３  ＤＣ電源制御線                １４  電解槽電源供給線
１５  吐出口Ａ                      １６  吐出口Ｂ
１７  吐出ノブ                      １８  操作パネル
１９  電解槽蓋                      ２０  回転ハンドル
２１  高電圧の小電流特性            ２２  低電圧の大電流特性
【図１】
0003669260.tif 000002
【図２】
0003669260.tif 000003
【図３】
0003669260.tif 000004
【図４】
0003669260.tif 000005
【図５】
0003669260.tif 000006